(57)【要約】      （修正有）【課題】気密性良が良く、密接吸着効果が良く、スクリーンの接触制御感がより良い全て接着剤で完全に密接される曲面スクリーン携帯電話用の強化ガラスフィルムを提供する。【解決手段】曲面強化ガラスシート２１を含み、曲面強化ガラスシート２１の左右両側辺が加熱湾曲プロセスにより携帯電話スクリーンに合せる弧面辺縁として成型し、曲面強化ガラスシート２１における携帯電話スクリーンに向かう下面に、防爆ビスコース層２２が密接され、防爆ビスコース層２２が上から下に順次に設置されるＯＣＡ光学接着剤層２３、ＰＥＴ基材層２４及びシリカゲル層２５を含み、防爆ビスコース層２２の形状及び大きさが曲面強化ガラスシート２１に完全に合致し、更に曲面強化ガラスシート２１の上面に第一離型保護フィルムが密接され、シリカゲル層２５の下面に第二離型保護フィルムが密接され、第一離型保護フィルム及び第二離型保護フィルムの各辺縁がそれぞれ外に延在して第一ラベル及び第二ラベルを形成する。【選択図】図３
0003215796.tif 000002
【実用新案登録請求の範囲】
【請求項１】
側辺が弧面とする携帯電話スクリーンに適合する全て接着剤で完全に密接される曲面スクリーン携帯電話用の強化ガラスフィルムにおいて、曲面強化ガラスシートを含み、曲面強化ガラスシートの左右両側辺が加熱湾曲プロセスにより携帯電話スクリーンに合せる弧面辺縁として成型し、前記曲面強化ガラスシートにおける携帯電話スクリーンに向かう下面に、防爆ビスコース層が密接され、前記防爆ビスコース層が上から下に順次に設置されるＯＣＡ光学接着剤層、ＰＥＴ基材層及びシリカゲル層を含み、その中で、ＯＣＡ光学接着剤層が曲面強化ガラスシートに貼付され、シリカゲル層が使用時に携帯電話スクリーンに貼付され、前記防爆ビスコース層の形状及び大きさが曲面強化ガラスシートに完全に合致し、更に曲面強化ガラスシートの上面に第一離型保護フィルムが密接され、シリカゲル層の下面に第二離型保護フィルムが密接され、第一離型保護フィルム及び第二離型保護フィルムの辺縁に手で千切られる第一ラベル及び第二ラベルが貼付されることを特徴とする全て接着剤で完全に密接される曲面スクリーン携帯電話用の強化ガラスフィルム。
【請求項２】
更に前記曲面スクリーン携帯電話用の強化ガラスフィルムと共に使用される補助ＰＥＴ被膜を含み、前記補助ＰＥＴ被膜が携帯電話スクリーンに対応し、使用時に携帯電話スクリーンに貼付された後、前記曲面スクリーン携帯電話用の強化ガラスフィルムを前記補助ＰＥＴ被膜に貼付されることを特徴とする請求項１に記載の全て接着剤で完全に密接される曲面スクリーン携帯電話用の強化ガラスフィルム。
【請求項３】
防爆ビスコース層の厚さが３０ｕｍ〜１ｍｍであることを特徴とする請求項２に記載の全て接着剤で完全に密接される曲面スクリーン携帯電話用の強化ガラスフィルム。
【請求項４】
第一離型保護フィルム及び第二離型保護フィルムが何れも厚さ０．０５〜１ｍｍのＰＥＴ薄膜であることを特徴とする請求項３に記載の全て接着剤で完全に密接される曲面スクリーン携帯電話用の強化ガラスフィルム。
【請求項５】
前記ＰＥＴ基材層の両側辺縁における携帯電話スクリーン弧面に対応する位置には、二つの防眩ミクロン塗装ストリップが設置され、前記防眩ミクロン塗装ストリップの厚さが１〜５０ｕｍであり、前記防眩ミクロン塗装ストリップがパリレン塗装とすることを特徴とする請求項４に記載の全て接着剤で完全に密接される曲面スクリーン携帯電話用の強化ガラスフィルム。
【請求項６】
前記ＰＥＴ基材層の上面で、且つＯＣＡ光学接着剤層の下面の、二つの防眩ミクロン塗装ストリップ間に、上から下に順次に二酸化チタンナノ層、ジジミウムナノ層及び酸化鉄ナノ層が被覆されることを特徴とする請求項５に記載の全て接着剤で完全に密接される曲面スクリーン携帯電話用の強化ガラスフィルム。
【請求項７】
前記二酸化チタンナノ層、ジジミウムナノ層、及び酸化鉄ナノ層の厚さの比が１：１：１であることを特徴とする請求項６に記載の全て接着剤で完全に密接される曲面スクリーン携帯電話用の強化ガラスフィルム。
【考案の詳細な説明】
【技術分野】
【０００１】
本実用新案は、携帯電話用の保護フィルム技術分野に属し、具体的には全て接着剤で完全に密接される曲面スクリーン携帯電話用の強化ガラスフィルムに関する。
【背景技術】
【０００２】
強化ガラスフィルムは専ら携帯電話スクリーンを保護するように設計される先端技術の保護フィルムであり、現在に携帯電話スクリーンへ強い保護作用を備えるハイエンド新製品であり、元のスクリーン面を完全に被覆し、外力による損害を防止する外、更に衝撃吸収性を増加し、ＰＥＴフィルムの標準よりも５倍高く、スクリーンのビデオ効果に影響しなく、メインスクリーンの破砕、摩損及び擦り傷を回避でき、その強靭程度も携帯電話のディスプレイクリーンへの重圧を保護できる。
【０００３】
携帯電話が地面に落下する場合、衝撃力が大変に大きく、張力が過大でスクリーンが破砕させ、強化ガラスフィルムの強靭性が低く、携帯電話から張力を伝送する時にフィルムが張力を受けるので、大きくメインスクリーンへの張力を減少し、これは従来の強化ガラス保護フィルムが主にスクリーンが平面とする携帯電話に対する。
【０００４】
三星会社は、独創的な曲面スクリーン携帯電話、例えば、ＧａｌａｘｙＥｄｇｅ系列等の多い形式を世に出し、曲面スクリーン設計は、スマートフォンの未来発展方向を引導する潮流になり、この前にこの出願人が特許出願ＣＮ２０１６２０６８６１９３．５を出願し、その構造では、曲面強化ガラスの下面に第一ビスコース層が密接され、第一ビスコース層の下面に辺縁基材層が密接され、前記辺縁基材層上面の四周辺縁に電気鍍金プロセスにより有色辺縁層が形成され、前記辺縁基材層の下面にブルーレイ止め層が設置され、前記ブルーレイ止め層が二層構造とし、上下積層で設置されるＯＣＡ光学接着剤層及びブルーレイ止めＰＥＴ基材層を含み、ＯＣＡ光学接着剤層が辺縁基材層に接着され、前記ブルーレイ止め層下面に第二ビスコース層が設置され、第二ビスコース層のサイズ及び形状が有色辺縁層と同じで、第二ビスコース層の中部における携帯電話の表示に対応する区域が中空区域とし、このような構造が、携帯電話スクリーンと密接する時、主に第二ビスコース層の作用により、強化ガラス保護フィルムの全体を携帯電話スクリーンに密接させ、第二ビスコース層の中部が中空とし、換言すれば携帯電話スクリーンと密接する中間区域が中空とするので、空気隔離、透過率が良くなく、且つ全体が全て接着剤で完全に密接することなく、手指がタッチスクリーンを操作すると、接触制御感が良くない。
【先行技術文献】
【特許文献】
【０００５】
【特許文献１】中国特許出願ＣＮ２０１６２０６８６１９３．５号
【考案の概要】
【考案が解決しようとする課題】
【０００６】
本実用新案は、従来の技術の不足を克服するために、密接吸着性が良くなく、接触制御感が良好な全て接着剤で完全に密接される曲面スクリーン携帯電話用の強化ガラスフィルムを提供する。
【課題を解決するための手段】
【０００７】
本実用新案は下記技術方案により前記技術問題を解決する。
【０００８】
全て接着剤で完全に密接される曲面スクリーン携帯電話用の強化ガラスフィルムは、側辺が弧面とする携帯電話スクリーンに適合し、曲面強化ガラスシートを含み、曲面強化ガラスシートの左右両側辺が加熱湾曲プロセスにより携帯電話スクリーンに合せる弧面辺縁として成型し、前記曲面強化ガラスシートにおける携帯電話スクリーンに向かう下面に、防爆ビスコース層が密接され、前記防爆ビスコース層が上から下に順次に設置されるＯＣＡ光学接着剤層、ＰＥＴ基材層及びシリカゲル層を含み、その中で、ＯＣＡ光学接着剤層が曲面強化ガラスシートに貼付され、シリカゲル層が使用時に携帯電話スクリーンに貼付され、前記防爆ビスコース層の形状及び大きさが曲面強化ガラスシートに完全に合致し、更に曲面強化ガラスシートの上面に第一離型保護フィルムが密接され、シリカゲル層の下面に第二離型保護フィルムが密接され、第一離型保護フィルム及び第二離型保護フィルムの辺縁に手で千切られる第一ラベル及び第二ラベルが貼付される。
【０００９】
より具体的には、更に前記曲面スクリーン携帯電話用の強化ガラスフィルムと共に使用される補助ＰＥＴ被膜を含み、前記補助ＰＥＴ被膜が携帯電話スクリーンに対応し、使用時に携帯電話スクリーンに貼付された後、前記曲面スクリーン携帯電話用の強化ガラスフィルムを前記補助ＰＥＴ被膜の上に貼付される。
【００１０】
より具体的には、防爆ビスコース層の厚さが３０ｕｍ〜１ｍｍである。
【００１１】
より具体的には、第一離型保護フィルム及び第二離型保護フィルムが何れも厚さ０．０５〜１ｍｍのＰＥＴ薄膜である。
【００１２】
より具体的には、前記ＰＥＴ基材層の両側辺縁における携帯電話スクリーン弧面に対応する位置には、二つの防眩ミクロン塗装ストリップが設置され、前記防眩ミクロン塗装ストリップの厚さが１〜５０ｕｍであり、前記防眩ミクロン塗装ストリップがパリレン塗装とする。
【００１３】
より具体的には、前記ＰＥＴ基材層の上面で、ＯＣＡ光学接着剤層の下面の、二つの防眩ミクロン塗装ストリップ間に、上から下に順次に二酸化チタンナノ層、ジジミウムナノ層及び酸化鉄ナノ層が被覆される。
【００１４】
より具体的には、前記二酸化チタンナノ層、ジジミウムナノ層及び酸化鉄ナノ層の厚さ比が１：１：１である。
【考案の効果】
【００１５】
本実用新案は、曲面スクリーン携帯電話に適合し、携帯電話に密接され、曲面強化ガラスシートの両側辺が曲面とし、全面的に携帯電話タッチスクリーンの正面及び両側辺を被覆できるので、効率的にタッチスクリーンを保護する。更に曲面強化ガラスフィルムが全シリカゲルにより携帯電話スクリーンに密接されるので、気密性良が良く、密接吸着効果が良く、手指で操作すると、接触制御感がより良く、好ましくは、曲面強化ガラスフィルムと共に使用される補助ＰＥＴフィルムを選定し、被覆の場合には、先ず補助ＰＥＴフィルムを携帯電話スクリーンに密接した後、曲面強化ガラスフィルムを補助ＰＥＴフィルムに密接し、携帯電話スクリーンの過度平滑による被膜の不堅固を回避する。なお、曲面スクリーン携帯電話の両側が斜面（弧面）とし、正面から両側が反射しやすいため、ＰＥＴ基材層の両側辺縁における携帯電話スクリーン弧面に対応する位置に二つの防眩ミクロン塗装ストリップが設置されるので、正面から見えば反射しなく、表示が明晰し、なおこの二つの防眩ミクロン塗装ストリップがＣＶＤ（化学気相沈積）方法によりＰＥＴ基材層上に加工されたパリレン塗装であり、一般的な艶消し処理或はＡＧ噴射効果より良く、顆粒がより繊細し、厚さも均一で、防眩効果が明らかである。好ましくは、ＰＥＴ基材層の上面に更に二酸化チタンナノ層、ジジミウムナノ層及び酸化鉄ナノ層が設置されるので、良いブルーレイ防止の作用を奏する。
【図面の簡単な説明】
【００１６】
【図１】図１は本実用新案の見取図である。
【図２】図２は図１のＡ部拡大後の構造見取図である。
【図３】図３は本実用新案の分解後の構造見取図である。
【考案を実施するための形態】
【００１７】
以下、図面を結合して本実用新案の好適な実施例を示し、本実用新案の技術方案について詳細に説明する。
【００１８】
図１〜図３の、全て接着剤で完全に密接される曲面スクリーン携帯電話用の強化ガラスフィルムの実施例１は、側辺が弧面とする携帯電話スクリーンに適合し、前記強化ガラスフィルム２が曲面強化ガラスシート２１を含み、曲面強化ガラスシート２１の左右両側辺が加熱湾曲プロセスにより携帯電話スクリーンに対応する弧面辺縁として成型し、前記曲面強化ガラスシート２１における携帯電話スクリーンに向かう下面に防爆ビスコース層２２が密接され、前記防爆ビスコース層２２が上から下に順次に設置されるＯＣＡ光学接着剤層２３、ＰＥＴ基材層２４及びシリカゲル層２５を含み、前記ビスコース層２２の形状及び大きさが携帯電話スクリーンに完全にマッチングし、曲面強化ガラスシート２１の上面に更に第一離型保護フィルム１が密接され、シリカゲル層２５の下面に第二離型保護フィルム３が密接され、第一離型保護フィルム及び第二離型保護フィルムの辺縁にはそれぞれ手指で引き裂かられやすい第一ラベル１１及び第二ラベル３１が貼付され、第一離型保護フィルム１及び第二離型保護フィルム３が製品の使用前に対製品を保護し、その表面への摩耗や摩損を防止するように厚さ０．１５ｍｍのＰＥＴ薄膜とし、ユーザが強化ガラスフィルムを携帯電話スクリーンに貼る前にこれらの第一、第二離型保護フィルム１、３を引き裂いて廃棄する必要があるので、第一離型保護フィルム１及び第二離型保護フィルム３の辺縁には、それぞれ手指で手指で引き裂かられやすい第一ラベル１１及び第二ラベル３１が貼付される。
前記ＰＥＴ基材層２４の両側辺縁における携帯電話スクリーン弧面に対応する位置には、二つの防眩ミクロン塗装ストリップ２４０、２４０が設置され、前記防眩ミクロン塗装ストリップ２４０の厚さが１０ｕｍとすることが好ましい、前記防眩ミクロン塗装ストリップ２４０がパリレン塗装とし、このようなパリレン塗装（Ｐａｒｙｌｅｎｅ）が高分子材料であり、その品名がパリレン（Ｐａｒｙｌｅｎｅ）とし、真空気相沈積法を利用してコーティング処理で作製され、Ｐａｒｙｌｅｎｅ活性分子の良好な貫通力によりＰＥＴ基材層２４の両側辺縁の表面（加工時に他の面を遮り覆う）にはピンホールなく厚さ均一の塗装が形成し、艶消しに類似する効果になり、防眩の作用を備えるが、それが均一に繊細し、その防眩効果が明らかに普通の防眩塗装よりも良く、その作用で、人眼が正面から携帯電話を直視すると、両側弧面辺縁に反射効果を生じない。
【００１９】
好ましくは、前記ＰＥＴ基材層２４の上面で、且つＯＣＡ光学接着剤層２３の下面の、二つの防眩ミクロン塗装ストリップ２４０、２４０間に上から下に順次に二酸化チタンナノ層、ジジミウムナノ層及び酸化鉄ナノ層（図中に未表示）が被覆され、前記二酸化チタンナノ層、ジジミウムナノ層及び酸化鉄ナノ層の厚さの比が１：１：１であり、この三つの塗装が主にブルーレイ防止の作用を奏し、これが従来の技術であり、その原理はここで説明しない。
【００２０】
全て接着剤で完全に密接される曲面スクリーン携帯電話用の強化ガラスフィルムの実施例２は、実施例１に記載された特徴を含むだけでなく、更に一つの実施例１とセットにして選定される補助ＰＥＴ被膜（図示しない）を含み、前記補助ＰＥＴ被膜が携帯電話スクリーンに合せ、使用時に先ずビスコースで携帯電話スクリーンに接着された後、実施例１による強化ガラスフィルムを前記補助ＰＥＴ被膜上に貼付され、このような方案は主に携帯電話スクリーンの平滑な状況に適用し、このような場合には、直接的に実施例１による強化ガラスフィルムを携帯電話スクリーンに貼付され、離脱しやすい可能があるため、予め携帯電話スクリーンに補助ＰＥＴ被膜を貼付した後、実施例１による強化ガラスフィルムを補助ＰＥＴ被膜に貼付する必要があり、このような構造により実施例１による強化ガラスフィルムと携帯電話スクリーンとが離脱しなく良く密接できる。
【００２１】
本実用新案の実施形態を説明したが、これは例でしかなく、本実用新案の保護範囲は請求の範囲で限定されると当業者が理解するべきである。当業者が本実用新案の原理及び要旨を背離しない前提下で、これらの実施の形態を様々変更して修正できるが、これらの変更及び修正は何れも本実用新案の保護範囲にある。
【図１】
0003215796.tif 000003
【図２】
0003215796.tif 000004
【図３】
0003215796.tif 000005